(57)【要約】【課題】  土砂・草木の除去や土砂の敷均し等の各種作業に兼用できると共にこれら各種作業を効率よく行うことができる油圧ショベルのバケット用アタッチメントを提供する。【解決手段】  本発明のバケット用アタッチメント１０は、油圧ショベルのバケット１００に既設されているアタッチメント基部１０１に対して着脱自在な複数のアタッチメント本体２０と、当該アタッチメント本体に一端が固定されて他端が前方にのびる可撓性部材３０とを備える。本発明のバケット用アタッチメントによれば従来手作業で行っていた法面の土砂・草木の除去作業を油圧ショベルで効率よく行うことができる。【選択図】図１
2015145587.tif 000002
【特許請求の範囲】
【請求項１】
油圧ショベルのバケットに既設されているアタッチメント基部に対して着脱自在な複数のアタッチメント本体と、前記複数のアタッチメント本体を前記アタッチメント基部に対応した位置に固定するプレートと、前記プレートに一端が固定されると共に他端が前方にのびる可撓性部材とを備えることを特徴とするバケット用アタッチメント。
【請求項２】
前記アタッチメント本体が前記プレートに対して着脱自在であることを特徴とする請求項２に記載のバケット用アタッチメント。
【請求項３】
油圧ショベルのバケットに既設されているアタッチメント基部に対して着脱自在な複数のアタッチメント本体と、当該アタッチメント本体に一端が固定されると共に他端が前方にのびる可撓性部材とを備えることを特徴とするバケット用アタッチメント。
【請求項４】
複数の前記可撓性部材が各々の一端において撚り合わされて一体化しており、他端において撚りがほどけた刷毛状になっていることを特徴とする請求項１〜３のいずれか一項に記載のバケット用アタッチメント。
【発明の詳細な説明】
【技術分野】
【０００１】
本発明は、油圧ショベルのバケットに取り付けることで法面の土砂・草木の除去や土砂の敷均し等、各種作業に兼用できると共にこれら各種作業を効率よく行うことができるバケット用アタッチメントに関する。
【背景技術】
【０００２】
道路や河川堤防の法面は盛土の浸食や風化を防止するためにコンクリートや石材等で保護されていることが多いが、経年により土砂が堆積したり草木が繁茂するため、定期的にこれら土砂・草木の除去作業を行う必要がある。
通常、このような除去作業は作業員の手作業により行われることが多いが、作業に時間がかかり人件費等のコストが嵩むという問題がある。
そこで、特許文献１には作業者搭乗用のバケットをブームから取り外し、替わりに法面の土砂等を掻き落とすためのブレードを取り付けた高所作業車が開示されている。
また、道路工事や河川工事では、路体、路床、築堤等の土砂の敷均し作業をバックホウに装着したバケットを用いて行うことがあるが、バケット前端に爪（ポイント）を取り付けている場合には、敷均し面に爪の跡が筋状に残ってしまうという問題がある。
そこで、特許文献２には爪、爪アダプタ及びバケットの裏面を略面一にすることで敷均し面に爪の跡が残りにくくしたバケット構造体が開示されている（特許文献２参照）。
【先行技術文献】
【特許文献】
【０００３】
【特許文献１】特開２００２−１６７１７８号公報
【特許文献２】特開２００６−０１６９０６号公報
【発明の概要】
【発明が解決しようとする課題】
【０００４】
ところが、上記特許文献１に開示された先行技術では、ブレードを取り付ける際に一旦作業者搭乗用のバケットをブームから取り外す必要があるため、交換作業が煩雑になるという問題がある。
また、上記特許文献１及び２に開示された先行技術や、従来行われているバケットに取り付けた平爪チップ（ツース盤）を利用した土砂の敷均し作業では、法面が凹凸状のコンクリートで構成されていたり、石材を組み上げて構成されている場合には、凹部や隙間に入り込んだ土砂・草木を掻き出すことができないという問題もある。
【０００５】
本発明は、このような問題を考慮して、土砂・草木の除去や土砂の敷均し等の各種作業に兼用できると共にこれら各種作業を効率よく行うことができる油圧ショベルのバケット用アタッチメントを提供することを目的とする。
【課題を解決するための手段】
【０００６】
本発明のバケット用アタッチメントは、油圧ショベルのバケットに既設されているアタッチメント基部に対して着脱自在な複数のアタッチメント本体と、前記複数のアタッチメント本体を前記アタッチメント基部に対応した位置に固定するプレートと、前記プレートに一端が固定されると共に他端が前方にのびる可撓性部材とを備えることを特徴とする。
また、前記アタッチメント本体が前記プレートに対して着脱自在であることを特徴とする。
また、本発明のバケット用アタッチメントは、油圧ショベルのバケットに既設されているアタッチメント基部に対して着脱自在な複数のアタッチメント本体と、当該アタッチメント本体に一端が固定されると共に他端が前方にのびる可撓性部材とを備えることを特徴とする。
また、複数の前記可撓性部材が各々の一端において撚り合わされて一体化しており、他端において撚りがほどけた刷毛状になっていることを特徴とする。
【発明の効果】
【０００７】
本発明のバケット用アタッチメントはアタッチメント本体を介してバケットに取り付けた可撓性部材を利用することで、従来手作業で行っていた法面の土砂・草木の除去作業を油圧ショベルで効率よく行うことができる。
また、可撓性部材がコンクリート、石材、砂地等に接触した際に撓むので、これらコンクリート等に過度の圧力がかかることを抑制でき、コンクリート等にひっかき傷等が生じることを防止できる。また、この特性を利用することで土砂・草木の除去作業だけでなく、土砂の敷均し作業等にも兼用できる。
また、バケット用アタッチメントはバケットに取り付けて使用するものであるため、従来のようにバケットをアームから取り外した上で当該アームにブレード等を取り付ける場合と比較して上記各種作業の作業性を格段に向上できると共に小型化できるので可搬性に優れる。
また、プレートを用いて複数のアタッチメント本体及び可撓性部材を固定することにすれば、複数のアタッチメント本体及び可撓性部材をバケットのアタッチメント基部に対して同時に着脱できるため作業性を向上させることができる。
また、プレートに対してアタッチメント本体を着脱自在にすれば、複数のアタッチメントのうち一つに摩耗、破断等の不具合が生じて交換する必要がある場合には当該アタッチメントのみをプレートから取り外して新品のアタッチメントと取り換えればよいのでメンテナンスコストを抑えることができる。
また、プレートを用いずにアタッチメント本体に直接可撓性部材を固定することにすればプレートが不要になり、バケット用アタッチメントを構成する部品の点数削減、バケット用アタッチメントの軽量化、メンテナンスコストの抑制を実現できる。
また、可撓性部材の他端を刷毛状にすることで、バケットに取り付けた状態で左右方向に隣り合う可撓性部材同士の間隔（隙間）が狭くなり、土砂・草木をより効率よく除去することができたり、敷均し作業時に敷均し面の凹凸をより小さくできる。
なお、本発明のバケット用アタッチメントはバケットを備える油圧ショベル（バックホウ、ユンボ、パワーショベル、ショベルカー、ドラグショベル、ミニ油圧ショベル等を含む）全般に装着できる。
【図面の簡単な説明】
【０００８】
【図１】第1の実施の形態におけるバケット用アタッチメントの構成部品を示す斜視図
【図２】バケット用アタッチメントをバケットに装着した状態を示す斜視図。
【図３】可撓性部材の他の構成例を示す斜視図
【図４】可撓性部材の固定方法の他の例を示す斜視図
【図５】第２の実施の形態におけるバケット用アタッチメントの構成部品を示す斜視図
【図６】第３の実施の形態におけるバケット用アタッチメントの構成部品を示す斜視図（ａ）及び側面図、他の例を示す側面図（ｃ）
【発明を実施するための形態】
【０００９】
[第１の実施の形態]
以下、本発明の実施の形態について説明する。
図１及び図２に示すように、本発明のバケット用アタッチメント１０は、油圧ショベルのバケット１００に取り付けて使用するものであり、アタッチメント本体２０、可撓性部材３０及びプレート４０から概略構成される。なお、図中のバケット１００には油圧ショベルのアームとの連結箇所の図示を省略している。
【００１０】
アタッチメント本体２０は、油圧ショベルのバケット１００に既設されているアタッチメント基部１０１に対して着脱自在な構造を備えている。アタッチメント基部１０１は爪（ポイント）や平爪チップ（ツース盤）を着脱自在に取り付けるべくバケット１００の前端に左右方向にほぼ等間隔で複数（本実施の形態では４つ）取り付けられているものであり、その形状は一般的には前方に向かって細くなるほぼ四角錘台である。
アタッチメント本体２０の形状は、アタッチメント基部１０１の形状に対応して前方に向かって細くなるほぼ四角錘台であり、その内部に開口部２１を備える。
アタッチメント本体２０をアタッチメント基部１０１に装着する際には、アタッチメント本体２０の開口部２１内にアタッチメント基部１０１を挿入し、アタッチメント本体２０の上下両面に設けたピン穴２２と、アタッチメント基部１０１に設けたピン穴１０１ａとを上下方向に連通させた状態で両ピン穴２２、１０１ａに上方からロックピン２３を挿入し、ロックピン２３の頭部をハンマー等で打ち込み、固定することで行う。また、アタッチメント本体２０をアタッチメント基部１０１から取り外す際には、ロックピン２３の頭部をハンマー等で叩いてロックピン２３をピン穴２２、１０１ａから抜き出すことで行う。
アタッチメント本体２０の形状はアタッチメント基部１０１を挿入・固定できるものであれば特に限定されないが、市販されているポイント（爪）を流用してもよく、この場合にはロックピン２３を上下方向から挿す縦ピンタイプと左右方向から挿す横ピンタイプのいずれを流用してもよい。
【００１１】
可撓性部材３０はその一端がプレート４０に固定されていて他端が前方にのびる可撓性を有する部材である。可撓性部材３０の材質としては鉄・ステンレス等の金属、エボナイト等の硬質ゴム、ＡＢＳ樹脂等の樹脂を用いることができるが、可撓性を有していれば特に限定されるものではない。金属製の可撓性部材３０を用いることにすれば法面上の土砂・草木がコンクリートや石材に固着している場合でもこれら土砂・草木を確実に除去することができるし、硬質ゴムや樹脂製の可撓性部材３０を用いることにすればコンクリートや石材の表面にひっかき傷をほとんど付けずに土砂・草木を除去することができる。図３は可能性部材３１として板状の硬質ゴムを使用した状態を示している。
【００１２】
プレート４０は、複数のアタッチメント本体２０をアタッチメント基部１０１に対応した位置に間隔を空けて固定すると共に可撓性部材３０の一端を固定するためのものである。プレート４０の材質は特に限定されるものではなく金属、硬質ゴム、樹脂等を用いることができる。
本実施の形態ではプレート４０に対してアタッチメント本体２０を溶接により固着しているが、ボルト・ナットや、ピン穴とロックピン等、周知の締結方法を用いてアタッチメント本体２０をプレート４０に対して着脱自在にしてもよい。
【００１３】
本実施の形態では複数の可撓性部材３０の一端を撚り合わせて一体化した状態でプレート４０に固定し、他端を刷毛状にしている。具体的には可撓性部材３０が一本の鉄製の針金であり、複数本の可撓性部材３０（針金）を撚り合わせたワイヤローブを適当な長さに切断したものをプレート４０に適当な幅間隔で固定した構造になっている。また、このワイヤロープを構成する複数の針金の撚りが使用によりほどけて刷毛状になっている。
このように複数の可撓性部材３０の他端を刷毛状にすることでバケットに取り付けた状態で幅方向（左右方向）に隣り合う可撓性部材３０同士の間隔（隙間）が狭くなり、土砂・草木をより効率よく除去することができる。
可撓性部材３０をプレート４０に固定する方法としては例えば可撓性部材３０が金属の場合には溶接が挙げられるが、可撓性部材３０が硬質ゴムや樹脂の場合には、可撓性部材３０の端部を金属製のリング等で締め上げたり、周知のチャック部材で挟み込んだ状態で、これらリングやチャック部材をプレート４０に溶接やボルト・ナット等の周知の固定方法を用いて固着させればよい。あるいは図４に示すように上下２枚のプレート４１、４２で可撓性部材３０を挟んで固定することにしてもよい。
【００１４】
[第２の実施の形態]
以下、本発明の第２の実施の形態について説明するが、上記第１の実施の形態と同様の構成となる箇所については同一の符号を付してその説明を省略する。
図５に示すように本実施の形態ではプレート４０を用いずに、可撓性部材３２をアタッチメント本体２４に直接固定する点に特徴を有する。
この構成によれば、プレート４０が不要になることによるバケット用アタッチメント５０の部品点数削減、軽量化及びメンテナンスコストの抑制を実現できる。
【００１５】
[第３の実施の形態]
次に本発明の第３の実施の形態について説明するが、上記各実施の形態と同様の構成となる箇所については同一の符号を付してその説明を省略する。
図６（ａ）及び（ｂ）に示すように本実施の形態のバケット用アタッチメント６０はプレート６１が断面コ字型になっており、その前後２枚の板体６１ａ、ｂに空けた開口に可撓性部材としてのワイヤロープ６２を挿入・固定する点に特徴を有する。なお、図６ではワイヤロープ６２を構成する複数の針金の撚りがほどけていないが、使用するにつれて図１等に示したようなほどけた状態になる。また、図６（ｂ）及び（ｃ）ではプレート６１の下面に固着しているアタッチメント本体２０の図示を省略している。
ワイヤロープ６２には筒状のストッパー６３が挿入され、着脱自在の状態で固定されている。使用時にワイヤロープ６２に対して前後方向の力が加わった場合には、このストッパー６３がプレート６１の前後２枚の板体６１ａ、ｂに接触することでワイヤロープ６２の前後方向の移動が規制されてプレート６１から抜け落ちない仕組みになっている。また、ワイヤロープ６２が破損した際には、ストッパー６３を取り外した上でワイヤロープ６２を前後いずれかの方向に引っ張ることで板体６１ａ、ｂの開口から引き抜けばよい。
図６（ｃ）はストッパーの他の構成例を示しており、前後２つの筒状のストッパー６４ａ、ｂがワイヤロープ６２に着脱自在の状態で固定されている。ワイヤロープ６２が破損した際には、前後いずれかのストッパー６４ａ、ｂを取り外した上でワイヤロープ６２を引っ張ることで板体６１ａ、ｂの開口から引き抜けばよい。
このようにコ字型のプレート６１とストッパー６３又は６４ａ、ｂを用いることにすればワイヤロープ６２の交換作業の作業性を向上させることができる。
【産業上の利用可能性】
【００１６】
本発明は、土砂・草木の除去や土砂の敷均し等の各種作業に兼用できると共にこれら各種作業を効率よく行うことができる油圧ショベルのバケット用アタッチメントに関するものであり、産業上の利用可能性を有する。
【符号の説明】
【００１７】
１０  バケット用アタッチメント
２０  アタッチメント本体
２１  開口部
２２  ピン穴
２３  ロックピン
２４  アタッチメント本体
３０  可撓性部材
３１  可能性部材
３２  可能性部材
４０  プレート
４１  プレート
４２  プレート
５０  バケット用アタッチメント
６０  バケット用アタッチメント
６１  プレート
６１ａ、ｂ  板体
６２  ワイヤロープ
６３  ストッパー
６４ａ、ｂ  ストッパー
１００  バケット
１０１  アタッチメント基部
１０１ａ  ピン穴
【図１】
2015145587.tif 000003
【図２】
2015145587.tif 000004
【図３】
2015145587.tif 000005
【図４】
2015145587.tif 000006
【図５】
2015145587.tif 000007
【図６】
2015145587.tif 000008